(57)【要約】【課題】撮像素子の受光面上に、カメラマウントとの摺動によって生じるマウントキャップの削りかすが付着することを回避したい。【解決手段】内径が規格化されたカメラマウントを有するカメラの、カメラマウントを覆うマウントキャップであって、カメラマウントの内周に対して遊嵌して装着する内周装着部と、内周よりも外側に設けられた嵌合壁に対して嵌合して装着する外周装着部とを備え、外周装着部により装着されたときには、内周装着部は内周に接触しない。【選択図】図３
2011081193.tif 000002
【特許請求の範囲】
【請求項１】
内径が規格化されたカメラマウントを有するカメラの、前記カメラマウントを覆うマウントキャップであって、
前記カメラマウントの内周に対して遊嵌して装着する内周装着部と、
前記カメラの前記内周よりも外側に設けられた嵌合壁に対して嵌合して装着する外周装着部と
を備え、
前記外周装着部により装着されたときには、前記内周装着部は前記内周に接触しないマウントキャップ。
【請求項２】
前記カメラマウントはバヨネット式であり、
前記内周装着部により装着される場合であっても、前記外周装着部により装着される場合であっても、前記内周装着部近傍に設けられた爪部が係合することにより前記カメラマウントに固定される請求項１に記載のマウントキャップ。
【請求項３】
前記マウントキャップの回転を規制する回転規制部が前記爪部に隣接して設けられ、
前記内周装着部は、前記内周と接触する面を前記回転規制部の外周面で形成する請求項２に記載のマウントキャップ。
【請求項４】
前記嵌合壁は、前記カメラマウントの外周である請求項１から３のいずれか１項に記載のマウントキャップ。
【請求項５】
前記内周装着部と前記外周装着部の少なくとも一方は、前記内周または前記嵌合壁と接触する面をリブ面で形成する請求項１から４のいずれか１項に記載のマウントキャップ。
【発明の詳細な説明】
【技術分野】
【０００１】
本発明は、マウントキャップに関する。
【背景技術】
【０００２】
カメラマウントに交換レンズが装着されていない場合に、マウントキャップを装着することにより、カメラマウント開口からカメラ本体内部に塵埃等が侵入することを防ぐ。カメラマウントは複数の規格により規格化されており、それぞれの規格に合わせてマウントキャップが用意されている。
【先行技術文献】
【特許文献】
【０００３】
【特許文献１】特開２００８−１５０１６号公報
【発明の概要】
【発明が解決しようとする課題】
【０００４】
同一の規格を謳うカメラマウントにおいて、カメラマウントの内周径は唯一に規定されていても、外周径は、カメラの構造に合わせて数種類に規定されている場合がある。このような場合であっても、マウントキャップをカメラマウントの内周径で嵌合するように構成すれば、外周径に関わらず同一規格のカメラマウントに装着することができる。しかしながら、近時のカメラは、撮像素子を用いるデジタルカメラが主流であり、撮像素子の受光面上に、カメラマウントとの摺動によって生じるマウントキャップの削りかすが付着することを回避したいという要請があった。
【課題を解決するための手段】
【０００５】
上記課題を解決するために、本発明の態様におけるマウントキャップは、内径が規格化されたカメラマウント（１１）を有するカメラの、カメラマウントを覆うマウントキャップ（２０）であって、カメラマウントの内周（１１２）に対して遊嵌して装着する内周装着部（２５１）と、内周よりも外側に設けられた嵌合壁（１１３）に対して嵌合して装着する外周装着部（２７０）とを備え、外周装着部により装着されたときには、内周装着部は内周に接触しない。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】カメラ本体とマウントキャップの外観斜視図である。
【図２】カメラマウントの構造を示す斜視図である。
【図３】マウントキャップの外観斜視図である。
【図４】外周径が最大でない場合のマウントリングと、マウントキャップの関係を示す断面図である。
【図５】図４のカメラマウントにおいて、図４とは異なる断面線によるマウントリングとマウントキャップの関係を示す断面図である。
【図６】図５とは別方向から観察した、マウントリングとマウントキャップの関係を示す断面図である。
【図７】外周径が最大の場合のマウントリングと、マウントキャップの関係を示す断面図である。
【図８】カメラマウントの外側に嵌合壁が設けられたカメラの外観斜視図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、カメラ本体１０とマウントキャップ２０の外観斜視図である。カメラ本体１０は、カメラマウント１１を備え、交換式レンズを装着できるように構成されている。カメラマウント１１はカメラ本体１０の開口部であり、交換式レンズの未装着時にはカメラ本体１０の内部であるミラーボックス１２が外界に曝され、塵埃等が侵入する恐れがある。特に、ミラーボックス１２の背後に配置される撮像素子の受光面に塵埃が付着すると、撮影画像にその影が写り込んでしまい、非常に不都合である。そこで、交換式レンズを装着しないときには、カメラマウント１１を覆うべく、マウントキャップ２０を矢印方向に装着する。なお、以下の説明においては図示するように、ミラーボックス１２へ入射する被写体光軸の方向をｚ軸とし、これに直交する方向をｘ軸、ｙ軸とする。
【００１０】
図２は、本実施形態に係るカメラマウント１１の構造を示す斜視図である。カメラマウント１１はいわゆるバヨネット方式を採用する。カメラマウント１１は、マウントリング１１０、マウント係合爪１２０および板バネ１３０を主な構成要素とする。
【００１１】
マウントリング１１０は、被写体光軸に垂直な平面であってフランジバックの基準面となるマウント面１１１、斜線で示す内周壁１１２、および網点で示す外周壁１１３を備え、複数のビス１４０でカメラボディに固定されている。マウントリング１１０のうちマウント面１１１とは反対の面、すなわちミラーボックス１２側の面には、周方向に約１２０度間隔でマウント係合爪１２０が３個設けられている。マウント係合爪１２０は、マウントリング１１０の内周壁よりも若干内側に突出しており、マウントリング１１０と同心円弧状に所定の中心角をもって形成されている。なお、マウント係合爪１２０は、マウントリング１１０と一体成形されていても良いし、別体としてマウントリング１１０に固着されても良い。
【００１２】
３個のマウント係合爪１２０のそれぞれに、マウントリング１１０と接する面とは反対の面、すなわちミラーボックス１２側の面に、板バネ１３０が設けられている。板バネ１３０は、バヨネット式マウントとして、装着される交換式レンズに設けられたレンズマウントをマウントリング１１０のマウント面１１１に付勢する役割を担う。つまり、板バネ１３０は、交換式レンズが装着されたときに、当該交換式レンズの被写体光軸方向のがたを除去する。また、マウントキャップ２０が装着されたときも被写体光軸方向のがたを除去するが、具体的な構成については後述する。
【００１３】
交換式レンズに設けられたレンズマウントは、カメラマウント１１の板バネ１３０によりマウント面１１１に付勢されると同時に、マウントリング１１０の内周壁１１２に嵌合する。これにより、径方向のがたも除去される。したがって、カメラマウント１１に対して交換式レンズのレンズマウントを装着するときの径方向の関係に着目すれば、カメラマウント１１は、その内周径が一定となるように規格化されてさえいれば、外周径に関わらず交換式レンズを装着することができることになる。
【００１４】
カメラマウント１１は、交換式レンズの装着および固定の機能に限らず、カメラ本体１０と交換式レンズとの通信をになう端子の接続、交換式レンズのフォーカスレンズを駆動する駆動力の伝達などの機能を担う場合もある。このような機能は、カメラ本体１０が備える性能によって、存在する場合もあればそうでない場合もある。すなわち、カメラ本体１０の機種に応じて、カメラマウント１１が果たす役割が異なる。例えば、カメラマウント１１内にフォーカスレンズを駆動する駆動カプラーを備える場合、内周径が一定であれば、外周径は、駆動カプラーを備えない場合に対して大きくなる。したがって、内周径が規定されこれに対応する交換式レンズが装着できるような、同一の規格を謳うカメラマウントであっても、その外周径は、数種類が規定されている場合がある。つまり、同一規格を謳うマウントリング１１０において、内周壁１１２の径は一定であるが、外周壁１１３の径はいくつかの値を取る。
【００１５】
図３は、本実施形態に係るマウントキャップ２０の、カメラマウント１１に装着される側から見た外観斜視図である。マウントキャップ２０は、カメラ本体１０の開口部を覆う蓋板２１０、蓋板２１０の外周部から略鉛直方向に延びるスカート部２２０およびカメラ本体１０の開口部に侵入する円筒部２３０を主な骨格とする。
【００１６】
円筒部２３０の先端には、カメラマウント１１のマウント係合爪１２０に対応して、周方向に約１２０度間隔で３箇所にキャップ係合爪２４０が設けられている。キャップ係合爪２４０は、板バネ１３０の付勢力を受けるバネ受けリブ２４１と回転規制リブ２４２とからなる。マウントキャップ２０は、キャップ係合爪２４０とマウント係合爪１２０が干渉しないように互いにずれた状態で、その円筒部２３０がカメラ本体１０の開口部に差し込まれる。そして、反時計回りに回転されることによりバネ受けリブ２４１とマウント係合爪１２０が板バネ１３０の付勢力を受けてｚ軸方向に係合する。さらに反時計回りに回転されると、マウント係合爪１２０の端部が回転規制リブ２４２と接触し、それ以上の回転を規制する。これにより、マウントキャップ２０は、カメラマウント１１に対してｚ軸方向にがたなく装着される。
【００１７】
円筒部２３０には、内周装着リブ２５０が複数設けられる。例えば、図示するように３つの内周装着リブ２５０を一組として、周方向に約１２０度間隔で３組設ける。内周装着リブ２５０の斜線で示す内周装着面２５１は、いずれも被写体光軸を中心軸として同一の径となるように形成されている。なお、回転規制リブ２４２の外周面２４３の被写体光軸からの径は、内周装着面２５１の径以下となるように形成されている。マウントリング１１０の内周壁１１２との相対的な関係は後述する。
【００１８】
スカート部２２０の内側には段差状にマウント面当接部２６０が設けられている。マウントキャップ２０がカメラマウント１１に装着されたときに、マウント面当接部２６０は、マウント面１１１と当接し、マウント係合爪１２０およびキャップ係合爪２４０と協調して、マウントキャップ２０をｚ軸方向にがたなく固定させる。マウント面当接部２６０に対してスカート部２２０の端方向に略垂直に連なる網点で図示する面は、外周装着面２７０を形成する。外周装着面２７０は、被写体光軸を中心軸として同一の径となるように形成されている。マウントリング１１０の外周壁１１３との相対的な関係は後述する。
【００１９】
図４は、内周径が同一に規定された同一規格を謳うカメラマウント１１において、外周径が最大でない場合のマウントリング１１０と、マウントキャップ２０の関係を示す断面図である。特に、カメラマウント１１に対してマウントキャップ２０を装着したときに同一断面を形成する、図２のＡ−Ａ断面と図３のＡ−Ａ断面を表す。
【００２０】
規定された内周径とは、マウントリング１１０の内周壁１１２が被写体光軸から一定の距離にあることを意味する。このとき、マウントキャップ２０の内周装着面２５１は、内周壁１１２に対して対向するが、複数設けられている内周装着リブ２５０のそれぞれの内周装着面２５１のすべてが内周壁１１２に接して嵌合するわけではない。すなわち、マウントキャップ２０がその中心を被写体光軸に一致させてカメラマウント１１に装着されると、複数の内周装着面２５１で形成する円と内周壁１１２の円は同心円をなし、内周装着面２５１は、内周壁１１２に対して遊嵌するように形成されている。換言すれば、内周装着面２５１の半径は、内周壁１１２の半径よりも若干小さく形成されている。
【００２１】
一方、同一規格を謳うカメラマウント１１であっても、外周径が最大でない場合は、マウントキャップの外周装着面２７０は外周壁１１３に対向するが、互いに接触することはない。ただし、外周装着面２７０に連なるマウント面当接部２６０は、マウントリング１１０のマウント面１１１の少なくとも一部と接触するように形成されている。
【００２２】
図５は、図４のカメラマウント１１において、図４とは異なる断面線によるマウントリング１１０とマウントキャップ２０の関係を示す断面図である。具体的には、カメラマウント１１に対してマウントキャップ２０を装着したときに同一断面を形成する、図２のＢ−Ｂ断面と図３のＢ−Ｂ断面を表す。また、図６は、図５とは別方向から観察した、マウントリング１１０とマウントキャップ２０の関係を示す断面図である。具体的には、カメラマウント１１に対してマウントキャップ２０を装着したときに同一の視点を形成する、図２のＣ方向と図３のＣ方向から見た断面図である。
【００２３】
マウントリング１１０に設けられたマウント係合爪１２０は、マウントキャップ２０のバネ受けリブ２４１と対向しており、マウント係合爪１２０に設けられた板バネ１３０がバネ受けリブ２４１をｚ軸方向へ付勢している。同時に、マウント面当接部２６０は、マウントリング１１０のマウント面１１１の少なくとも一部と接触している。したがって、このようないわゆるバヨネット方式のカメラマウント１１に対して、マウントキャップ２０を、マウント係合爪１２０の端部が回転規制リブ２４２と接触するまで回転して装着すると、ｚ軸方向のがたは解消される。
【００２４】
以上のように、マウントリング１１０の内周壁１１２に対して遊嵌するように内周装着面２５１を形成したので、装着時に互いに全周にわたって摺動するようなことがなく、よって摺動時に発生する削りかすは大幅に削減されることが期待できる。また、内周壁１１２に対して内周装着面２５１を遊嵌させるだけでは、マウントキャップ２０がカメラマウント１１に対して固定されずにがたが生じるところ、マウント面１１１に対してマウント面当接部２６０が当接するようにマウント面当接部２６０を形成したので、マウントキャップ２０はカメラマウント１１に対してｚ軸方向に付勢され、装着後にがたつくことがない。
【００２５】
図７は、内周径が同一に規定された同一規格を謳うカメラマウント１１において、外周径が最大の場合のマウントリング１１０と、マウントキャップ２０の関係を示す断面図である。特に、カメラマウント１１に対してマウントキャップ２０を装着したときに同一断面を形成する、図２のＡ−Ａ断面と図３のＡ−Ａ断面を表す。
【００２６】
マウントキャップ２０の外周装着面２７０は、同一規格を謳うカメラマウント１１において外周径が最大のマウントリング１１０の外周壁１１３に対して嵌合する。この場合は、マウントキャップ２０は、カメラマウント１１に対して、ｘｙ平面内においてもがたなく固定される。このとき、マウントリング１１０の内周壁１１２、外周壁１１３、マウントキャップ２０の複数の内周装着面２５１が形成する円、および外周装着面２７０は互いに被写体光軸を中心とした同心円をなす。外周径が最大であってもそうでなくても内周径は同一であるので、内周壁１１２の半径よりも若干小さく形成されている内周装着面２５１は、外周装着面２７０が外周壁１１３に対して嵌合する限り、内周壁１１２と接触することがない。なお、これらの意味においてカメラマウント１１の最大の外周径とは、マウントキャップ２０の外周装着面２７０により嵌合させることを想定した外周壁１１３の径である。
【００２７】
以上のように、外周径が最大のマウントリング１１０に対しては、その外周壁で嵌合するようにマウントキャップ２０を形成したので、内周壁１１２と内周装着面２５１は接触することがなく、装着時にこれらから削りかすが発生することはない。したがって、撮像素子に付着する塵埃を軽減する観点から非常に有効である。
【００２８】
なお、上記の実施形態においては、内周装着面２５１を内周装着リブ２５０により形成したが、回転規制リブ２４２の幅を広く取ってその外周面２４３を代用させることにより、内周装着リブ２５０を除いても良い。また、内周装着面２５１をリブの表面で形成することに限らず、円筒部２３０上に凸部を複数並べてその包絡面で形成してもよいし、外周装着面２７０と同様に円筒部２３０を一周囲んで形成しても良い。同様に外周装着面２７０も、スカート部２２０の内周を一周囲んで形成することに限らず、凸部を複数並べてその包絡面で形成してもよいし、複数のリブの表面で形成しても良い。
【００２９】
なお、マウントキャップ２０は、外周装着面２７０がマウントリング１１０の外周壁１１３に嵌合する構成に限らない。図８は、カメラマウント１１の外側に嵌合壁３７０が設けられたカメラの外観斜視図である。図示するように、マウントキャップ２０の外周装着面２７０と嵌合させるべく、カメラマウント１１の外側に、独立して嵌合壁３７０が円周方向に複数個所設けられている。このような場合、マウントキャップ２０の外周装着面２７０は、この嵌合壁３７０に嵌合するように形成される。
【００３０】
嵌合壁３７０がマウントキャップ２０の装着に特化して設けられると、外周装着面２７０は嵌合壁３７０の形状に合わせて形成すれば良いので、必ずしも円周面で形成しなくても良い。すなわち、マウントキャップ２０の外形は円以外の形状であっても良い。例えば、複数の嵌合壁３７０が矩形の一部を形成するように設けられていれば、外周装着面２７０はその矩形形状となるように形成される。このような場合であっても、内周装着面２５１は、マウントリング１１０の内周壁１１２には接触しない。
【００３１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００３２】
１０  カメラ本体、１１  カメラマウント、１２  ミラーボックス、２０  マウントキャップ、１１０  マウントリング、１１１  マウント面、１１２  内周壁、１１３  外周壁、１２０  マウント係合爪、１３０  板バネ、１４０  ビス、２１０  蓋板、２２０  スカート部、２３０  円筒部、２４０  キャップ係合爪、２４１  バネ受けリブ、２４２  回転規制リブ、２４３  外周面、２５０  内周装着リブ、２５１  内周装着面、２６０  マウント面当接部、２７０  外周装着面、３７０  嵌合壁
【図１】
2011081193.tif 000003
【図２】
2011081193.tif 000004
【図３】
2011081193.tif 000005
【図４】
2011081193.tif 000006
【図５】
2011081193.tif 000007
【図６】
2011081193.tif 000008
【図７】
2011081193.tif 000009
【図８】
2011081193.tif 000010